(57)【要約】【課題】本発明は、各種原稿サイズに応じた地肌検出領域を決定して地肌検出し、原稿に対して適切な地肌除去を行って読取画像品質を向上させる原稿読取装置に関する。【解決手段】原稿読取装置１は、原稿長さセンサ７、８、９及び原稿幅センサ１０、１１で、各種定型サイズの原稿の定型サイズを検出して、定型原稿サイズ判定部３が、これらの検出結果から判定した原稿サイズまたは原稿サイズ指定部６で指定された原稿サイズに基づいて、制御部２が、地肌検出領域を決定し、地肌検出領域指定部４が、制御部２からの地肌検出領域画素位置情報に基づいて地肌検出領域信号を発生させて、地肌除去部５が、原稿の読取画像データに対して、地肌検出領域信号の有効期間に地肌レベルを求め、当該求めた地肌レベルで読取画像データを正規化して地肌を除去する。【選択図】          図１
2005136551.tif 000002
【特許請求の範囲】
【請求項１】
原稿の一方向を読取センサで電気的に主走査し、原稿の他方向に当該読取センサと当該原稿とを相対的に機械的に副走査移動させて、当該読取センサにより当該原稿の画像を読み取るとともに、当該原稿の主走査方向の所定の地肌検出領域を前記読取センサで読み取って、当該読取センサの当該地肌検出領域の読取レベルを原稿地肌レベルとして、前記読取センサによる前記原稿の読取濃度の白側を当該原稿地肌レベルに制限する地肌除去手段を備えた原稿読取装置において、各種定型サイズの原稿の定型サイズを検出する定型原稿サイズセンサと、原稿サイズを指定する原稿サイズ指定手段と、当該定型原稿サイズセンサの検出結果に基づいて原稿の定型サイズを判定する原稿定型サイズ判定手段と、前記原稿定型サイズ判定手段の判定した原稿の定型サイズまたは前記原稿サイズ指定手段で指定された原稿サイズに基づいて前記地肌検出領域を決定する地肌検出領域決定手段と、を備えていることを特徴とする原稿読取装置。
【請求項２】
原稿の一方向を読取センサで電気的に主走査し、原稿の他方向に当該読取センサと当該原稿とを相対的に機械的に副走査移動させて、当該読取センサにより当該原稿の画像を読み取るとともに、当該原稿の主走査方向の所定の地肌検出領域を前記読取センサで読み取って、当該読取センサの当該地肌検出領域の読取レベルを原稿地肌レベルとして、前記読取センサによる前記原稿の読取濃度の白側を当該原稿地肌レベルに制限する地肌除去手段を備えた原稿読取装置において、読取画像を記録する用紙のサイズを指定する用紙指定手段と、当該用紙指定手段で指定された用紙サイズに基づいて原稿の定型サイズを判定する原稿定型サイズ判定手段と、前記原稿定型サイズ判定手段の判定した原稿の定型サイズに基づいて前記地肌検出領域を決定する地肌検出領域決定手段と、を備えていることを特徴とする原稿読取装置。
【請求項３】
原稿の一方向を読取センサで電気的に主走査し、原稿の他方向に当該読取センサと当該原稿とを相対的に機械的に副走査移動させて、当該読取センサにより当該原稿の画像を読み取るとともに、当該原稿の主走査方向の所定の地肌検出領域を前記読取センサで読み取って、当該読取センサの当該地肌検出領域の読取レベルを原稿地肌レベルとして、前記読取センサによる前記原稿の読取濃度の白側を当該原稿地肌レベルに制限する地肌除去手段を備えた原稿読取装置において、各種定型サイズの原稿の定型サイズを検出する定型原稿サイズセンサと、原稿サイズを指定する原稿サイズ指定手段と、読取画像を記録する用紙のサイズを指定する用紙指定手段と、前記定型原稿サイズセンサの検出結果または前記用紙指定手段で指定された用紙サイズに基づいて原稿の定型サイズを判定する原稿定型サイズ判定手段と、前記原稿定型サイズ判定手段の判定した原稿の定型サイズまたは前記原稿サイズ指定手段で指定された原稿サイズに基づいて前記地肌検出領域を決定する地肌検出領域決定手段と、を備えていることを特徴とする原稿読取装置。
【請求項４】
前記定型サイズ判定手段は、前記定型原稿サイズセンサの検出結果または前記用紙指定手段の指定が定型原稿サイズ以外の原稿サイズを示していると、最小読取可能定型原稿サイズを原稿サイズと判定することを特徴とする請求項１から請求項３のいずれかに記載の原稿読取装置。
【請求項５】
前記定型サイズ判定手段は、前記定型原稿サイズセンサの検出結果または前記用紙指定手段による指定が複数の定型原稿サイズを示していると、当該複数の定型原稿サイズのうち最も幅の小さい定型原稿サイズを原稿サイズと判定することを特徴とする請求項１から請求項４のいずれかに記載の原稿読取装置。
【請求項６】
前記地肌検出領域決定手段は、前記定型サイズ判定手段の判定した定型原稿サイズまたは前記原稿サイズ指定手段で指定された原稿サイズの幅方向の一方側端または両側端から所定幅をパンチ穴領域として、当該パンチ穴領域よりも前記原稿の内側に前記地肌検出領域を決定することを特徴とする請求項１から請求項５のいずれかに記載の原稿読取装置。
【請求項７】
前記原稿読取装置は、地肌読取領域を指定操作する領域指定手段をさらに備え、当該領域指定手段で地肌読取領域が指定されると、前記地肌検出領域決定手段は、前記原稿定型サイズ判定手段の判定した原稿の定型サイズまたは前記原稿サイズ指定手段で指定された原稿サイズに基づいて決定した前記地肌検出領域と当該領域指定手段で指定された地肌読取領域との重複領域を地肌検出領域として決定することを特徴とする請求項１から請求項６のいずれかに記載の原稿読取装置。
【請求項８】
前記地肌検出領域決定手段は、前記原稿定型サイズ判定手段の判定した原稿の定型サイズまたは前記原稿サイズ指定手段で指定された原稿サイズに基づいて決定した前記地肌検出領域と当該領域指定手段で指定された地肌読取領域との重複領域が規定幅以下であると、当該領域指定手段で指定された地肌読取領域を地肌検出領域として決定することを特徴とする請求項７記載の原稿読取装置。
【発明の詳細な説明】
【技術分野】
【０００１】
本発明は、原稿読取装置に関し、詳細には、各種原稿サイズに応じた地肌検出領域を決定して地肌を検出し、原稿に対して適切な地肌除去を行って読取画像の画像品質を向上させる原稿読取装置に関する。
【背景技術】
【０００２】
一般に、複写機等の原稿読取装置においては、原稿画像の地肌領域は、出力画像として不要であるので、読み取り画像の濃度が所定値以下のものは除去されるように構成されている。すなわち、例えば、青焼きコピーの原稿では地肌領域の濃度が高く、薄手の原稿では照明光が透過して透過領域が地肌領域になるため、この地肌領域を除去する必要がある。また、コントラストが低い原稿や薄い鉛筆等で加筆修正した原稿では、原稿画像が不必要に除去されることを防止する必要がある。
【０００３】
そこで、原稿読取装置においては、従来から原稿の地肌検出を行って、原稿を読み取った画像から地肌の除去処理を行っている（特許文献１から特許文献４参照）。
【０００４】
このような従来の地肌検出においては、いずれの従来技術においても、原稿サイズにかかわらず、最小読取可能原稿サイズであるＡ６縦の内側１５ｍｍ（＝７５ｍｍの領域）を固定の地肌検出領域として、地肌検出を行っている。
【０００５】
すなわち、一般的に、図１９に示すようなスキャナ１００は、スキャナ本体１０１上に開閉可能なＡＤＦ（Auto Document Feeder）１０２が設けられ、ＡＤＦ１０２は、ＡＤＦ原稿台１０３上に載置された複数枚の原稿を、１枚ずつ分離してスキャナ本体１０１に形成されているシートスルー用読取窓１０４（図２０、図２１参照）を通過させた後、原稿排紙台１０５上に排出させる。
【０００６】
スキャナ本体１０１は、図２０及び図２１に示すように、その上面部に、圧板用原稿台１０６とシートスルー用読取窓１０４が設けられており、圧板用原稿台１０６上には、圧板を兼用するＡＤＦ１０２が開かれて原稿１０７が図２１に示すように基準角部１０８に原稿１０７の角部を合わせる状態でセットされる。
【０００７】
スキャナ本体１０１には、図２１に示すように、圧板用原稿台１０６上にセットされた原稿１０７の長さを検出する原稿長さセンサ１０９と原稿１０７の幅を検出する原稿幅センサ１１０が設けられており、また、ＡＤＦ１０２には、図２２に示すように、ＡＤＦ原稿台１０３上にセットされる原稿１０７の幅方向両端位置をガイドする１対の原稿ガイド板１１１と、当該セットされた原稿１０７の幅を当該原稿ガイド板１１１の位置で検出する原稿幅センサ１１２と、当該セットされた原稿１０７の長さを検出する原稿長さセンサ１１３と、が設けられている。
【０００８】
そして、従来のスキャナ１００は、圧板用原稿台１０６上にセットされた原稿１０７の読み取りを行う場合、すなわち、圧板読取を行う場合には、図２３に示すように、圧板用原稿台１０６の基準角部１０８に合わせて圧板用原稿台１０６上にセットされた原稿１０７が、最大読取幅に対して、原稿幅がいくらであるかに関わらず、地肌検出領域が基準角部１０８側の圧板用原稿台奥から所定長さ、例えば、１５ｍｍだけ圧板用原稿台１０６側から所定長さの領域（例えば、Ａ６縦サイズの内側領域）に設定されており、この地肌検出領域で地肌検出を行う。また、スキャナ１００は、ＡＤＦ１０２で原稿を搬送して読み取りを行うＡＤＦ読取の場合には、図  に示すように、１対の原稿ガイド板１１１の中央（ＡＤＦ原稿台中心）から所定幅、例えば、Ａ６縦サイズの内側領域が地肌検出領域として設定されている。
【０００９】
【特許文献１】特開平５−１７６１３５号公報
【特許文献２】特開平５−２１９３７６号公報
【特許文献３】特開平９−２７９０９号公報
【特許文献４】特許第２５８７４４３号公報
【発明の開示】
【発明が解決しようとする課題】
【００１０】
しかしながら、上記従来技術にあっては、原稿サイズにかかわらず、最小読取可能原稿サイズであるＡ６縦の内側１５ｍｍ（＝７５ｍｍの領域）を固定の地肌検出領域として、地肌検出を行っているため、Ａ４やＡ３等の大きな原稿の場合には、地肌検出領域が、原稿の一部の領域だけとなり、原稿の内容によっては、地肌除去効果が大きく変わり、適切な地肌除去を行うことができない場合があり、改良の必要があった。すなわち、例えば、地肌検出領域に、低濃度部分が地肌に近い状態となっていないと、原稿の絵の部分を地肌とみなしてしまい、全体的に薄い画像となってしまうという問題があった。
【００１１】
そこで、請求項１記載の発明は、読取センサにより原稿の画像を読み取るとともに、当該原稿の主走査方向の所定の地肌検出領域を読取センサで読み取って、当該読取センサの当該地肌検出領域の読取レベルを原稿地肌レベルとして、読取センサによる原稿の読取濃度の白側を当該原稿地肌レベルに制限するに際して、定型原稿サイズセンサで、各種定型サイズの原稿の定型サイズを検出し、また、原稿サイズ指定手段で、原稿サイズを指定し、原稿定型サイズ判定手段が、当該定型原稿サイズセンサの検出結果に基づいて原稿の定型サイズを判定し、地肌検出領域決定手段が、原稿定型サイズ判定手段の判定した原稿の定型サイズまたは原稿サイズ指定手段で指定された原稿サイズに基づいて地肌検出領域を決定することにより、原稿サイズに合わせて、原稿の全域に地肌検出領域を設定し、原稿の絵柄による地肌除去効果の違いを少なくして、読取画像の画像品質を向上させる原稿読取装置を提供することを目的としている。
【００１２】
請求項２記載の発明は、読取センサにより原稿の画像を読み取るとともに、当該原稿の主走査方向の所定の地肌検出領域を読取センサで読み取って、当該読取センサの当該地肌検出領域の読取レベルを原稿地肌レベルとして、読取センサによる原稿の読取濃度の白側を当該原稿地肌レベルに制限するに際して、用紙指定手段で読取画像を記録する用紙のサイズが指定されると、原稿定型サイズ判定手段が、当該指定された用紙サイズに基づいて原稿の定型サイズを判定し、地肌検出領域決定手段が、原稿定型サイズ判定手段の判定した原稿の定型サイズに基づいて地肌検出領域を決定することにより、定型原稿サイズセンサや原稿サイズ指定手段を備えていない場合にも、原稿サイズに合わせて、原稿の全域に地肌検出領域を設定し、原稿の絵柄による地肌除去効果の違いを少なくして、読取画像の画像品質を向上させる原稿読取装置を提供することを目的としている。
【００１３】
請求項３記載の発明は、読取センサにより原稿の画像を読み取るとともに、当該原稿の主走査方向の所定の地肌検出領域を読取センサで読み取って、当該読取センサの当該地肌検出領域の読取レベルを原稿地肌レベルとして、読取センサによる原稿の読取濃度の白側を当該原稿地肌レベルに制限するに際して、定型原稿サイズセンサで、各種定型サイズの原稿の定型サイズを検出し、また、原稿サイズ指定手段で、原稿サイズを指定し、あるいは、用紙指定手段で読取画像を記録する用紙のサイズが指定されると、原稿定型サイズ判定手段が、当該定型原稿サイズセンサの検出結果または用紙指定手段で指定された用紙サイズに基づいて原稿の定型サイズを判し、地肌検出領域決定手段が、原稿定型サイズ判定手段の判定した原稿の定型サイズまたは原稿サイズ指定手段で指定された原稿サイズに基づいて地肌検出領域を決定することにより、検出した原稿サイズに合わせて、あるいは、定型原稿サイズセンサや原稿サイズ指定手段を備えていない場合にも、原稿サイズに合わせて、原稿の全域に地肌検出領域を設定し、原稿の絵柄による地肌除去効果の違いを少なくして、読取画像の画像品質を向上させる原稿読取装置を提供することを目的としている。
【００１４】
請求項４記載の発明は、定型サイズ判定手段が、定型原稿サイズセンサの検出結果または用紙指定手段の指定が定型原稿サイズ以外の原稿サイズを示していると、最小読取可能定型原稿サイズを原稿サイズと判定することにより、定型サイズ以外の原稿に対しても、原稿サイズに合わせて、原稿の全域に地肌検出領域を設定し、原稿の絵柄による地肌除去効果の違いを少なくして、読取画像の画像品質をより一層向上させる原稿読取装置を提供することを目的としている。
【００１５】
請求項５記載の発明は、定型サイズ判定手段が、定型原稿サイズセンサの検出結果または用紙指定手段による指定が複数の定型原稿サイズを示していると、当該複数の定型原稿サイズのうち最も幅の小さい定型原稿サイズを原稿サイズと判定することにより、似通った定型サイズの原稿に対して同じような地肌検出領域を設定して、地肌除去を行い、読取画像の画像品質をより一層向上させる原稿読取装置を提供することを目的としている。
【００１６】
請求項６記載の発明は、地肌検出領域決定手段が、定型サイズ判定手段の判定した定型原稿サイズまたは原稿サイズ指定手段で指定された原稿サイズの幅方向の一方側端または両側端から所定幅をパンチ穴領域として、当該パンチ穴領域よりも原稿の内側に地肌検出領域を決定することにより、地肌検出領域からパンチ穴領域を外して、パンチ穴部の背景板による地肌検出誤動作を回避し、パンチ穴の形成されている原稿に対しても、適切な地肌除去を行って、読取画像の画像品質をより一層向上させる原稿読取装置を提供することを目的としている。
【００１７】
請求項７記載の発明は、地肌読取領域を指定操作する領域指定手段で地肌読取領域が指定されると、地肌検出領域決定手段が、原稿定型サイズ判定手段の判定した原稿の定型サイズまたは原稿サイズ指定手段で指定された原稿サイズに基づいて決定した地肌検出領域と当該領域指定手段で指定された地肌読取領域との重複領域を地肌検出領域として決定することにより、読取領域が指定された場合にも、間違いなく意図されている地肌除去を行い、読取画像の画像品質を向上させる原稿読取装置を提供することを目的としている。
【００１８】
請求項８記載の発明は、地肌検出領域決定手段が、原稿定型サイズ判定手段の判定した原稿の定型サイズまたは原稿サイズ指定手段で指定された原稿サイズに基づいて決定した地肌検出領域と当該領域指定手段で指定された地肌読取領域との重複領域が規定幅以下であると、当該領域指定手段で指定された地肌読取領域を地肌検出領域として決定することにより、地肌検出領域として仮決定した領域以外の原稿料域が指定された場合にも、指定された領域を地肌検出領域として地肌検出し、意図されている地肌除去を行って、読取画像の画像品質を向上させる原稿読取装置を提供することを目的としている。
【課題を解決するための手段】
【００１９】
請求項１記載の発明の原稿読取装置は、原稿の一方向を読取センサで電気的に主走査し、原稿の他方向に当該読取センサと当該原稿とを相対的に機械的に副走査移動させて、当該読取センサにより当該原稿の画像を読み取るとともに、当該原稿の主走査方向の所定の地肌検出領域を前記読取センサで読み取って、当該読取センサの当該地肌検出領域の読取レベルを原稿地肌レベルとして、前記読取センサによる前記原稿の読取濃度の白側を当該原稿地肌レベルに制限する地肌除去手段を備えた原稿読取装置において、各種定型サイズの原稿の定型サイズを検出する定型原稿サイズセンサと、原稿サイズを指定する原稿サイズ指定手段と、当該定型原稿サイズセンサの検出結果に基づいて原稿の定型サイズを判定する原稿定型サイズ判定手段と、前記原稿定型サイズ判定手段の判定した原稿の定型サイズまたは前記原稿サイズ指定手段で指定された原稿サイズに基づいて前記地肌検出領域を決定する地肌検出領域決定手段と、を備えていることにより、上記目的を達成している。
【００２０】
請求項２記載の発明の原稿読取装置は、原稿の一方向を読取センサで電気的に主走査し、原稿の他方向に当該読取センサと当該原稿とを相対的に機械的に副走査移動させて、当該読取センサにより当該原稿の画像を読み取るとともに、当該原稿の主走査方向の所定の地肌検出領域を前記読取センサで読み取って、当該読取センサの当該地肌検出領域の読取レベルを原稿地肌レベルとして、前記読取センサによる前記原稿の読取濃度の白側を当該原稿地肌レベルに制限する地肌除去手段を備えた原稿読取装置において、読取画像を記録する用紙のサイズを指定する用紙指定手段と、当該用紙指定手段で指定された用紙サイズに基づいて原稿の定型サイズを判定する原稿定型サイズ判定手段と、前記原稿定型サイズ判定手段の判定した原稿の定型サイズに基づいて前記地肌検出領域を決定する地肌検出領域決定手段と、を備えていることにより、上記目的を達成している。
【００２１】
請求項３記載の発明の原稿読取装置は、原稿の一方向を読取センサで電気的に主走査し、原稿の他方向に当該読取センサと当該原稿とを相対的に機械的に副走査移動させて、当該読取センサにより当該原稿の画像を読み取るとともに、当該原稿の主走査方向の所定の地肌検出領域を前記読取センサで読み取って、当該読取センサの当該地肌検出領域の読取レベルを原稿地肌レベルとして、前記読取センサによる前記原稿の読取濃度の白側を当該原稿地肌レベルに制限する地肌除去手段を備えた原稿読取装置において、各種定型サイズの原稿の定型サイズを検出する定型原稿サイズセンサと、原稿サイズを指定する原稿サイズ指定手段と、読取画像を記録する用紙のサイズを指定する用紙指定手段と、前記定型原稿サイズセンサの検出結果または前記用紙指定手段で指定された用紙サイズに基づいて原稿の定型サイズを判定する原稿定型サイズ判定手段と、前記原稿定型サイズ判定手段の判定した原稿の定型サイズまたは前記原稿サイズ指定手段で指定された原稿サイズに基づいて前記地肌検出領域を決定する地肌検出領域決定手段と、を備えていることにより、上記目的を達成している。
【００２２】
上記各場合において、例えば、請求項４に記載するように、前記定型サイズ判定手段は、前記定型原稿サイズセンサの検出結果または前記用紙指定手段の指定が定型原稿サイズ以外の原稿サイズを示していると、最小読取可能定型原稿サイズを原稿サイズと判定するものであってもよい。
【００２３】
また、例えば、請求項５に記載するように、前記定型サイズ判定手段は、前記定型原稿サイズセンサの検出結果または前記用紙指定手段による指定が複数の定型原稿サイズを示していると、当該複数の定型原稿サイズのうち最も幅の小さい定型原稿サイズを原稿サイズと判定するものであってもよい。
【００２４】
さらに、例えば、請求項６に記載するように、前記地肌検出領域決定手段は、前記定型サイズ判定手段の判定した定型原稿サイズまたは前記原稿サイズ指定手段で指定された原稿サイズの幅方向の一方側端または両側端から所定幅をパンチ穴領域として、当該パンチ穴領域よりも前記原稿の内側に前記地肌検出領域を決定するものであってもよい。
【００２５】
また、例えば、請求項７に記載するように、前記原稿読取装置は、地肌読取領域を指定操作する領域指定手段をさらに備え、当該領域指定手段で地肌読取領域が指定されると、前記地肌検出領域決定手段は、前記原稿定型サイズ判定手段の判定した原稿の定型サイズまたは前記原稿サイズ指定手段で指定された原稿サイズに基づいて決定した前記地肌検出領域と当該領域指定手段で指定された地肌読取領域との重複領域を地肌検出領域として決定するものであってもよい。
【００２６】
さらに、例えば、請求項８に記載するように、前記地肌検出領域決定手段は、前記原稿定型サイズ判定手段の判定した原稿の定型サイズまたは前記原稿サイズ指定手段で指定された原稿サイズに基づいて決定した前記地肌検出領域と当該領域指定手段で指定された地肌読取領域との重複領域が規定幅以下であると、当該領域指定手段で指定された地肌読取領域を地肌検出領域として決定するものであってもよい。
【発明の効果】
【００２７】
請求項１記載の発明の原稿読取装置によれば、読取センサにより原稿の画像を読み取るとともに、当該原稿の主走査方向の所定の地肌検出領域を読取センサで読み取って、当該読取センサの当該地肌検出領域の読取レベルを原稿地肌レベルとして、読取センサによる原稿の読取濃度の白側を当該原稿地肌レベルに制限するに際して、定型原稿サイズセンサで、各種定型サイズの原稿の定型サイズを検出し、また、原稿サイズ指定手段で、原稿サイズを指定し、原稿定型サイズ判定手段が、当該定型原稿サイズセンサの検出結果に基づいて原稿の定型サイズを判定し、地肌検出領域決定手段が、原稿定型サイズ判定手段の判定した原稿の定型サイズまたは原稿サイズ指定手段で指定された原稿サイズに基づいて地肌検出領域を決定するので、原稿サイズに合わせて、原稿の全域に地肌検出領域を設定することができ、原稿の絵柄による地肌除去効果の違いを少なくして、読取画像の画像品質を向上させることができる。
【００２８】
請求項２記載の発明の原稿読取装置によれば、読取センサにより原稿の画像を読み取るとともに、当該原稿の主走査方向の所定の地肌検出領域を読取センサで読み取って、当該読取センサの当該地肌検出領域の読取レベルを原稿地肌レベルとして、読取センサによる原稿の読取濃度の白側を当該原稿地肌レベルに制限するに際して、用紙指定手段で読取画像を記録する用紙のサイズが指定されると、原稿定型サイズ判定手段が、当該指定された用紙サイズに基づいて原稿の定型サイズを判定し、地肌検出領域決定手段が、原稿定型サイズ判定手段の判定した原稿の定型サイズに基づいて地肌検出領域を決定するので、定型原稿サイズセンサや原稿サイズ指定手段を備えていない場合にも、原稿サイズに合わせて、原稿の全域に地肌検出領域を設定することができ、原稿の絵柄による地肌除去効果の違いを少なくして、読取画像の画像品質を向上させることができる。
【００２９】
請求項３記載の発明の原稿読取装置によれば、読取センサにより原稿の画像を読み取るとともに、当該原稿の主走査方向の所定の地肌検出領域を読取センサで読み取って、当該読取センサの当該地肌検出領域の読取レベルを原稿地肌レベルとして、読取センサによる原稿の読取濃度の白側を当該原稿地肌レベルに制限するに際して、定型原稿サイズセンサで、各種定型サイズの原稿の定型サイズを検出し、また、原稿サイズ指定手段で、原稿サイズを指定し、あるいは、用紙指定手段で読取画像を記録する用紙のサイズが指定されると、原稿定型サイズ判定手段が、当該定型原稿サイズセンサの検出結果または用紙指定手段で指定された用紙サイズに基づいて原稿の定型サイズを判し、地肌検出領域決定手段が、原稿定型サイズ判定手段の判定した原稿の定型サイズまたは原稿サイズ指定手段で指定された原稿サイズに基づいて地肌検出領域を決定するので、検出した原稿サイズに合わせて、あるいは、定型原稿サイズセンサや原稿サイズ指定手段を備えていない場合にも、原稿サイズに合わせて、原稿の全域に地肌検出領域を設定することができ、原稿の絵柄による地肌除去効果の違いを少なくして、読取画像の画像品質を向上させることができる。
【００３０】
請求項４記載の発明の原稿読取装置によれば、定型サイズ判定手段が、定型原稿サイズセンサの検出結果または用紙指定手段の指定が定型原稿サイズ以外の原稿サイズを示していると、最小読取可能定型原稿サイズを原稿サイズと判定するので、定型サイズ以外の原稿に対しても、原稿サイズに合わせて、原稿の全域に地肌検出領域を設定することができ、原稿の絵柄による地肌除去効果の違いを少なくして、読取画像の画像品質をより一層向上させることができる。
【００３１】
請求項５記載の発明の原稿読取装置によれば、定型サイズ判定手段が、定型原稿サイズセンサの検出結果または用紙指定手段による指定が複数の定型原稿サイズを示していると、当該複数の定型原稿サイズのうち最も幅の小さい定型原稿サイズを原稿サイズと判定するので、似通った定型サイズの原稿に対して同じような地肌検出領域を設定して、地肌除去を行うことができ、読取画像の画像品質をより一層向上させることができる。
【００３２】
請求項６記載の発明の原稿読取装置によれば、地肌検出領域決定手段が、定型サイズ判定手段の判定した定型原稿サイズまたは原稿サイズ指定手段で指定された原稿サイズの幅方向の一方側端または両側端から所定幅をパンチ穴領域として、当該パンチ穴領域よりも原稿の内側に地肌検出領域を決定するので、地肌検出領域からパンチ穴領域を外して、パンチ穴部の背景板による地肌検出誤動作を回避することができ、パンチ穴の形成されている原稿に対しても、適切な地肌除去を行って、読取画像の画像品質をより一層向上させることができる。
【００３３】
請求項７記載の発明の原稿読取装置によれば、地肌読取領域を指定操作する領域指定手段で地肌読取領域が指定されると、地肌検出領域決定手段が、原稿定型サイズ判定手段の判定した原稿の定型サイズまたは原稿サイズ指定手段で指定された原稿サイズに基づいて決定した地肌検出領域と当該領域指定手段で指定された地肌読取領域との重複領域を地肌検出領域として決定するので、読取領域が指定された場合にも、間違いなく意図されている地肌除去を行うことができ、読取画像の画像品質を向上させることができる。
【００３４】
請求項８記載の発明の原稿読取装置によれば、地肌検出領域決定手段が、原稿定型サイズ判定手段の判定した原稿の定型サイズまたは原稿サイズ指定手段で指定された原稿サイズに基づいて決定した地肌検出領域と当該領域指定手段で指定された地肌読取領域との重複領域が規定幅以下であると、当該領域指定手段で指定された地肌読取領域を地肌検出領域として決定するので、地肌検出領域として仮決定した領域以外の原稿料域が指定された場合にも、指定された領域を地肌検出領域として地肌検出することができ、意図されている地肌除去を行って、読取画像の画像品質を向上させることができる。
【発明を実施するための最良の形態】
【００３５】
以下、本発明の好適な実施例を添付図面に基づいて詳細に説明する。なお、以下に述べる実施例は、本発明の好適な実施例であるから、技術的に好ましい種々の限定が付されているが、本発明の範囲は、以下の説明において特に本発明を限定する旨の記載がない限り、これらの態様に限られるものではない。
【実施例１】
【００３６】
図１〜図４は、本発明の原稿読取装置の第１実施例を示す図であり、図１は、本発明の原稿読取装置の第１実施例を適用した原稿読取装置１の要部ブロック構成図である。なお、本実施例は、請求項１に対応するものである。
【００３７】
図１において、原稿読取装置１は、制御部２、定型原稿サイズ判定部３、地肌検出領域指定部４、地肌除去部５、原稿サイズ指定部６、３つの原稿長さセンサ７〜９及び２つの原稿幅センサ１０、１１等を備えている。なお、原稿読取装置１は、その外観構成等を示していないが、圧板読取用原稿台とＡＤＦ用読取窓を備え、後述するように、それぞれの読取モードに対して原稿サイズに応じて地肌検出領域を決定して、地肌検出を行う。
【００３８】
原稿サイズ指定部（原稿サイズ指定手段）６は、原稿読取装置１の操作部等に設けられ、オペレータにより原稿サイズが指定操作され、当該指定操作された原稿サイズを制御部２に出力する。
【００３９】
原稿長さセンサ７、８、９は、それぞれ所定の固定サイズの原稿の長さＬ１、Ｌ２、Ｌ３を検出して、検出結果を定型原稿サイズ判定部３に出力し、原稿幅センサ１０、１１は、それぞれ所定の固定サイズの原稿の幅Ｗ１、Ｗ２を検出して、検出結果を定型原稿サイズ判定部３に出力する。これら原稿長さセンサ７、８、９及び原稿幅センサ１０、１１は、全体として定型原稿サイズセンサとして機能している。
【００４０】
定型原稿サイズ判定部（原稿定型サイズ判定手段）３は、原稿長さセンサ７、８、９からの原稿長さ信号Ｌ１、Ｌ２、Ｌ３及び原稿幅センサ１０、１１からの原稿幅信号Ｗ１、Ｗ２のパターンに基づいて、内部メモリに格納されているセンサパターン−定型サイズ対応表を参照して定型原稿サイズを判定して、判定した定型原稿サイズを制御部２に出力する。
【００４１】
このセンサパターン−定型サイズ対応表は、図２に示すように、原稿長さセンサ７、８、９からの原稿長さ信号Ｌ１、Ｌ２、Ｌ３及び原稿幅センサ１０、１１からの原稿幅信号Ｗ１、Ｗ２のＯＮ（Ｈ）とＯＦＦ（Ｌ）のパターンに応じて、Ａ３縦、Ｂ４縦、Ａ４縦、Ａ４横、Ｂ５縦、Ｂ５横及び上記より小さい原稿にパターン分類されており、予め定型原稿サイズ判定部３の内部メモリに格納されている。
【００４２】
制御部（地肌検出領域決定手段）２は、原稿サイズ指定部６で指定された原稿サイズまたは定型原稿サイズ判定部３で判定された原稿サイズに基づいて、予め内部メモリ等に格納されている地肌検出領域テーブルに示す位置情報に対応する地肌検出領域画素位置を求め、地肌検出領域指定部４に出力する。この地肌検出領域テーブルは、例えば、図３に示すように、原稿サイズに対応して、圧板読取時とＡＤＦ読取時のそれぞれに対して地肌検出開始位置と地肌検出終了位置が設定されており、例えば、Ａ３縦、Ａ４横の場合、圧板読取時では、地肌検出開始位置が０ｍｍの位置で、地肌検出終了位置が２９７ｍｍの位置であり、ＡＤＦ読取時では、地肌検出開始位置が−１４３．５ｍｍの位置で、地肌検出終了位置が１４３．５ｍｍの位置である。なお、定型サイズの名称とその寸法は、図４に示すようになっている。
【００４３】
地肌検出領域指定部４は、制御部２からの地肌検出領域画素位置情報に基づいて地肌検出領域信号を発生させ、発生させた地肌検出領域信号を地肌除去部５に出力する。
【００４４】
地肌除去部（地肌除去手段）５には、図示しない原稿読取センサ（読取センサ）の読み取った原稿の読取画像データが入力されるとともに、上記地肌検出指定部４から上記地肌検出領域信号が入力され、地肌除去部５は、原稿の読取画像データに対して地肌検出領域信号の有効期間に地肌レベルを求め、当該求めた地肌レベルで読取画像データを正規化して地肌を除去して、地肌除去後画像データとして後段処理部に出力する。
【００４５】
次に、本実施例の作用を説明する。本実施例の原稿読取装置１は、原稿サイズに応じて地肌検出領域を設定して地肌検出を行い、地肌除去処理を行う。
【００４６】
すなわち、原稿読取装置１は、原稿サイズ指定部６で指定された原稿サイズまたは原稿長さセンサ７、８、９と原稿幅センサ１０、１１の検出結果に基づいて定型原稿サイズ判定部３で判定された原稿サイズが制御部２に入力され、制御部２は、この原稿サイズに基づいて、予め内部メモリ等に格納されている地肌検出領域に示す位置情報に対応する地肌検出領域画素位置を求めて、地肌検出領域指定部４に出力する。地肌検出領域指定部４は、制御部２からの地肌検出領域画素位置情報に基づいて地肌検出領域信号を発生させ、発生させた地肌検出領域信号を地肌除去部５に出力する。地肌除去部５は、原稿の読取画像データに対して、地肌検出領域信号の有効期間に地肌レベルを求め、当該求めた地肌レベルで読取画像データを正規化して地肌を除去して、地肌除去後画像データとして後段処理部に出力する。
【００４７】
このように、本実施例の原稿読取装置１は、原稿読取センサにより原稿の画像を読み取るとともに、当該原稿の主走査方向の所定の地肌検出領域を原稿読取センサで読み取って、当該原稿読取センサの当該地肌検出領域の読取レベルを原稿地肌レベルとして、原稿読取センサによる原稿の読取濃度の白側を当該原稿地肌レベルに制限するに際して、定型原稿サイズセンサである原稿長さセンサ７、８、９及び原稿幅センサ１０、１１で、各種定型サイズの原稿の定型サイズを検出し、また、原稿サイズ指定部６で、原稿サイズを指定し、定型原稿サイズ判定部３が、原稿長さセンサ７、８、９及び原稿幅センサ１０、１１の検出結果に基づいて原稿の定型サイズを判定し、制御部２が、定型原稿サイズ判定部３の判定した原稿の定型サイズまたは原稿サイズ指定部６で指定された原稿サイズに基づいて地肌検出領域を決定している。
【００４８】
したがって、原稿サイズに合わせて、原稿の全域に地肌検出領域を設定することができ、原稿の絵柄による地肌除去効果の違いを少なくして、読取画像の画像品質を向上させることができる。
【実施例２】
【００４９】
図５及び図６は、本発明の原稿読取装置の第２実施例を示す図であり、図５は、本発明の原稿読取装置の第２実施例を適用した原稿読取装置で用いられるセンサパターン−定型サイズ対応表である。
【００５０】
なお、本実施例は、請求項４に対応するものである。また、本実施例は、上記第１実施例の原稿読取装置１と同様の原稿読取装置に適用したものであり、本実施例の説明においては、必要に応じて、上記第１実施例で用いた符号をそのまま用いて説明する。
【００５１】
本実施例の原稿読取装置１は、図５に示すように、センサパターン−定型サイズ対応表として、定型サイズに対応しないセンサパターンに、原稿読取装置１の読取最小可能定型サイズであるＡ６縦が設定されている。
【００５２】
そして、原稿読取装置１は、制御部２が、原稿サイズ指定部６で指定された原稿サイズまたは定型原稿サイズ判定部３で判定された原稿サイズに基づいて、予め内部メモリ等に格納されている地肌検出領域に示す位置情報に対応する地肌検出領域画素位置を求め、地肌検出領域指定部４に出力するが、この地肌検出領域は、センサパターン−定型サイズ対応表にＡ６縦サイズが設定されていることから、図６に示すように、原稿サイズに対応して、第１実施例の場合の図３と同様の地肌検出領域テーブルが設定されているとともに、原稿サイズＡ６縦に対して、圧板読取時では、地肌検出開始位置が０ｍｍの位置で、地肌検出終了位置が１０５ｍｍの位置が、ＡＤＦ読取時では、地肌検出開始位置が−５２．５ｍｍの位置で、地肌検出終了位置が５２．５ｍｍの位置が設定されている。
【００５３】
このように、本実施例の原稿読取装置１は、制御部２が、原稿長さセンサ７、８、９及び原稿幅センサ１０、１１の検出結果または原稿サイズ指定部６の指定が定型原稿サイズ以外の原稿サイズを示していると、最小読取可能定型原稿サイズを原稿サイズと判定している。
【００５４】
したがって、定型サイズ以外の原稿に対しても、原稿サイズに合わせて、原稿の全域に地肌検出領域を設定することができ、原稿の絵柄による地肌除去効果の違いを少なくして、読取画像の画像品質をより一層向上させることができる。
【実施例３】
【００５５】
図７及び図８は、本発明の原稿読取装置の第３実施例を示す図であり、図７は、本発明の原稿読取装置の第３実施例を適用した原稿読取装置で用いられるセンサパターン−定型サイズ対応表である。
【００５６】
なお、本実施例は、請求項５に対応するものである。また、本実施例は、上記第１実施例の原稿読取装置１と同様の原稿読取装置に適用したものであり、本実施例の説明においては、必要に応じて、上記第１実施例で用いた符号をそのまま用いて説明する。
【００５７】
本実施例の原稿読取装置１は、センサパターン−定型サイズ対応表として、定型原稿サイズセンサである３つの原稿長さセンサ７〜９及び２つの原稿幅センサ１０、１１の出力センサパターンが複数の定型サイズに該当する場合には、最も幅の小さい定型サイズを検出原稿サイズとして、地肌検出領域が設定されている。
【００５８】
すなわち、本実施例の原稿読取装置１は、図７に示すように、センサパターン−定型サイズ対応表として、各センサパターンに対して複数の対応定型サイズと地肌レベルの検出原稿サイズとが設定されており、例えば、原稿幅センサ１０、１１からの原稿幅信号Ｗ１、Ｗ２と原稿長さセンサ７、８、９からの原稿長さ信号Ｌ１、Ｌ２、Ｌ３が、それぞれ「Ｈ」、「Ｈ」、「Ｈ」、「Ｈ」、「Ｈ」であるとき、対応定型サイズとしては、Ａ３縦、ＤＬＴ縦、八開縦があり、地肌レベルの検出原稿サイズとしては、これらの複数の対応定型サイズのうち最も幅の小さい定型サイズである八開縦が設定されている。
【００５９】
そして、原稿読取装置１は、制御部２が、原稿サイズ指定部６で指定された原稿サイズまたは定型原稿サイズ判定部３で判定された原稿サイズに基づいて、予め内部メモリ等に格納されている地肌検出領域に示す位置情報に対応する地肌検出領域画素位置を求め、地肌検出領域指定部４に出力するが、この地肌検出領域は、センサパターン−定型サイズ対応表に、複数の対応定型サイズのうち最も幅の小さい定型サイズである八開縦が設定されていることから、図８に示すように、原稿サイズに対応して、第１実施例の場合の図３と同様の地肌検出領域が設定された地肌検出領域テーブルが設けられている。例えば、八開縦に対しては、圧板読取時では、地肌検出開始位置が０ｍｍの位置で、地肌検出終了位置が２６７ｍｍの位置が、ＡＤＦ読取時では、地肌検出開始位置が−１３３．５ｍｍの位置で、地肌検出終了位置が１３３．５ｍｍの位置が設定されている。
【００６０】
このように、本実施例の原稿読取装置１は、定型原稿サイズ判定部３が、原稿長さセンサ７〜９及び原稿幅センサ１０、１１の検出結果が複数の定型原稿サイズを示していると、当該複数の定型原稿サイズのうち最も幅の小さい定型原稿サイズを原稿サイズと判定している。
【００６１】
したがって、似通った定型サイズの原稿に対して同じような地肌検出領域を設定して、地肌除去を行うことができ、読取画像の画像品質をより一層向上させることができる。
【実施例４】
【００６２】
図９及び図１０は、本発明の原稿読取装置の第４実施例を示す図であり、図９は、本発明の原稿読取装置の第４実施例を適用した原稿読取装置で用いられるセンサパターン−定型サイズ対応表である。
【００６３】
なお、本実施例は、請求項４及び請求項５に対応するものである。また、本実施例は、上記第１実施例の原稿読取装置１と同様の原稿読取装置に適用したものであり、本実施例の説明においては、必要に応じて、上記第１実施例で用いた符号をそのまま用いて説明する。
【００６４】
本実施例の原稿読取装置１は、センサパターン−定型サイズ対応表として、定型原稿サイズセンサである３つの原稿長さセンサ７〜９及び２つの原稿幅センサ１０、１１の出力センサパターンが複数の定型サイズに該当する場合には、最も幅の小さい定型サイズを検出原稿サイズとして、地肌検出領域を設定されているとともに、定型サイズに対応しないセンサパターンに、原稿読取装置１の読取最小可能定型サイズが設定されている。
【００６５】
すなわち、本実施例の原稿読取装置１は、センサパターン−定型サイズ対応表として、定型原稿サイズセンサである３つの原稿長さセンサ７〜９及び２つの原稿幅センサ１０、１１の出力センサパターンが複数の定型サイズに該当する場合には、最も幅の小さい定型サイズを検出原稿サイズとして、地肌検出領域が設定されており、また、センサパターン−定型サイズ対応表として、定型サイズに対応しないセンサパターンに、原稿読取装置１の読取最小可能定型サイズであるＡ６縦が設定されている。
【００６６】
すなわち、本実施例の原稿読取装置１は、図９に示すように、センサパターン−定型サイズ対応表として、各センサパターンに対して複数の対応定型サイズと地肌レベルの検出原稿サイズとが設定されており、例えば、原稿幅センサ１０、１１からの原稿幅信号Ｗ１、Ｗ２と原稿長さセンサ７、８、９からの原稿長さ信号Ｌ１、Ｌ２、Ｌ３が、それぞれ「Ｈ」、「Ｈ」、「Ｈ」、「Ｈ」、「Ｈ」であるとき、対応定型サイズとしては、Ａ３縦、ＤＬＴ縦、八開縦があり、地肌レベルの検出原稿サイズとしては、これらの複数の対応定型サイズのうち最も幅の小さい定型サイズである八開縦が設定されている。また、原稿読取装置１は、図９のセンサパターン−定型サイズ対応表の最下欄に示すように、定型サイズに対応しないセンサパターンに、原稿読取装置１の読取最小可能定型サイズであるＡ６縦が設定されている。
【００６７】
そして、原稿読取装置１は、制御部２が、原稿サイズ指定部６で指定された原稿サイズまたは定型原稿サイズ判定部３で判定された原稿サイズに基づいて、予め内部メモリ等に格納されている地肌検出領域に示す位置情報に対応する地肌検出領域画素位置を求め、地肌検出領域指定部４に出力するが、この地肌検出領域は、センサパターン−定型サイズ対応表に、複数の対応定型サイズのうち最も幅の小さい定型サイズである八開縦が設定されていることから、図１０に示すように、原稿サイズに対応して、第１実施例の場合の図３と同様の地肌検出領域が設定されており、例えば、八開縦に対しては、圧板読取時では、地肌検出開始位置が０ｍｍの位置で、地肌検出終了位置が２６７ｍｍの位置が、ＡＤＦ読取時では、地肌検出開始位置が−１３３．５ｍｍの位置で、地肌検出終了位置が１３３．５ｍｍの位置が設定されている。
【００６８】
また、制御部２は、地肌検出領域は、センサパターン−定型サイズ対応表にＡ６縦サイズが設定されていることから、図１０に示すように、原稿サイズに対応して、第１実施例の場合の図３と同様の地肌検出領域が設定されているとともに、原稿サイズＡ６縦に対して、圧板読取時では、地肌検出開始位置が０ｍｍの位置で、地肌検出終了位置が１０５ｍｍの位置が、ＡＤＦ読取時では、地肌検出開始位置が−５２．５ｍｍの位置で、地肌検出終了位置が５２．５ｍｍの位置が設定されている。
【００６９】
このように、本実施例の原稿読取装置１は、制御部２が、原稿長さセンサ７、８、９及び原稿幅センサ１０、１１の検出結果が定型原稿サイズ以外の原稿サイズを示していると、最小読取可能定型原稿サイズを原稿サイズと判定するとともに、定型原稿サイズ判定部３が、原稿長さセンサ７〜９及び原稿幅センサ１０、１１の検出結果が複数の定型原稿サイズを示していると、当該複数の定型原稿サイズのうち最も幅の小さい定型原稿サイズを原稿サイズと判定している。
【００７０】
したがって、定型サイズ以外の原稿に対しても、原稿サイズに合わせて、原稿の全域に地肌検出領域を設定することができ、また、似通った定型サイズの原稿に対して同じような地肌検出領域を設定して、地肌除去を行うことができ、原稿の絵柄による地肌除去効果の違いを少なくして、読取画像の画像品質をより一層向上させることができる。
【実施例５】
【００７１】
図１１及び図１２は、本発明の原稿読取装置の第５実施例を示す図であり、図１１は、本発明の原稿読取装置の第５実施例を適用した原稿読取装置で読み取られる原稿２０の平面図である。
【００７２】
なお、本実施例は、請求項６に対応するものである。また、本実施例は、上記第１実施例の原稿読取装置１と同様の原稿読取装置に適用したものであり、本実施例の説明においては、必要に応じて、上記第１実施例で用いた符号をそのまま用いて説明する。
【００７３】
本実施例の原稿読取装置１は、図１１に示すように、原稿２０にファイリングを行うためのパンチ穴２１が形成されていると、当該パンチ穴２１部分を地肌検出領域から外して、適切な地肌検出を行う。
【００７４】
すなわち、原稿２０には、例えば、図１１に示すように、原稿２０の幅方向の一方側端部近くに縦方向に複数形成されていることがあり、このような原稿２０の場合、上記各実施例のように地肌検出領域を決定すると、パンチ穴２１の部分が地肌検出領域に入ることがある。ところが、パンチ穴２１部分は、原稿２０が欠如していて原稿読取装置１の背景板が見えるようになっているため、パンチ穴２１の領域を地肌検出領域とすると、背景板を地肌とみなしてしまうことがある。
【００７５】
そこで、本実施例の原稿読取装置１は、図１２に示すように、原稿サイズに対応した地肌検出領域テーブルには、パンチ穴２１の領域を原稿端から２５ｍｍとし、このようなパンチ穴２１の領域を避けるように地肌検出領域が設定されている。例えば、原稿サイズがＡ４縦では、圧板読取時では、地肌検出開始位置がパンチ穴２１の領域としての２５ミリを空けて２５ｍｍで、地肌検出終了位置がこの２５ｍｍ分を加算した１８５ｍｍとなっており、ＡＤＦ読取時では、地肌検出開始位置が−８０ｍｍで、地肌検出終了位置が１０５ｍｍである。
【００７６】
したがって、地肌検出領域を決定する際に、パンチ穴２１の領域を避けて地肌検出領域を決定することができ、正確に地肌検出を行うことができる。
【００７７】
このように、本実施例の原稿読取装置１は、制御部２が、定型原稿サイズ判定部３の判定した定型原稿サイズまたは原稿サイズ指定部６で指定された定型原稿サイズの幅方向の一方側端または両側端から所定幅をパンチ穴２１の領域（パンチ穴領域）として、当該パンチ穴領域よりも原稿２０の内側に地肌検出領域を決定している。
【００７８】
したがって、地肌検出領域からパンチ穴領域を外して、パンチ穴２１の部分の背景板による地肌検出誤動作を回避することができ、パンチ穴２１の形成されている原稿２０に対しても、適切な地肌除去を行って、読取画像の画像品質をより一層向上させることができる。
【実施例６】
【００７９】
図１３及び図１４は、本発明の原稿読取装置の第６実施例を示す図であり、図１３は、本発明の原稿読取装置の第６実施例を適用した原稿読取装置３０の要部ブロック構成図である。
【００８０】
なお、本実施例は、請求項７及び請求項８に対応するものである。また、本実施例は、上記第１実施例の原稿読取装置１と同様の原稿読取装置に適用したものであり、本実施例の説明においては、上記第１実施例の原稿読取装置１と同様の構成部分には、同位置の符号を付して、その詳細な説明を省略する。
【００８１】
本実施例の原稿読取装置３０は、上記第１実施例の原稿読取装置１と同様の制御部２、定型原稿サイズ判定部３、地肌検出領域指定部４、地肌除去部５、原稿サイズ指定部６、３つの原稿長さセンサ７〜９及び２つの原稿幅センサ１０、１１等を備えているとともに、読取領域指定部３１を備えている。
【００８２】
読取領域指定部（領域指定手段）３１は、操作部等に設けられ、オペレータが、読取領域指定部３１を操作して、原稿長さセンサ７、８、９からの原稿長さ信号Ｌ１、Ｌ２、Ｌ３及び原稿幅センサ１０、１１からの原稿幅信号Ｗ１、Ｗ２のパターンに基づいて定型原稿サイズ判定部３が判定した検出原稿サイズ、または、原稿サイズ指定部６から指定された原稿サイズに基づいて制御部２が決定した地肌検出領域に対して読取領域を指定する。
【００８３】
制御部２は、地肌検出領域に対して読取領域指定部３１から読取領域が指定されると、決定した地肌検出領域と指定された読取領域の重複領域を指定地肌検出領域とする地肌検出領域画素位置情報を地肌検出領域指定部４に出力し、地肌検出領域指定部４は、この地肌検出領域画素位置情報に基づいて地肌検出領域信号を発生させ、発生させた地肌検出領域信号を地肌除去部５に出力する。
【００８４】
すなわち、制御部２は、例えば、ＡＤＦ読取の場合、図１４に示すように、原稿３２に対して定型原稿サイズ判定部３からの検出原稿サイズに基づいて決定した地肌検出領域に対して、読取領域指定部３１から読取領域（指定読取領域）が指定されると、この地肌検出領域と指定読取領域とが重複する重複領域を指定地肌検出領域とする。
【００８５】
また、制御部２は、図１５及び図１６に示すように、原稿３２に対して定型原稿サイズ判定部３からの検出原稿サイズに基づいて決定した地肌検出領域と、読取領域指定部３１から指定された読取領域（指定読取領域）と、の重複領域を予め設定された規定最小幅と比較し、重複領域と規定最小幅との比較結果に基づいて地肌検出領域を決定する。
【００８６】
すなわち、制御部２は、図１５に示すように、定型原稿サイズ判定部３からの検出原稿サイズに基づいて決定した地肌検出領域と読取領域指定部３１から指定された読取領域（指定読取領域）との重複領域が、予め設定された規定最小幅よりも大きいときには、上述のように、重複領域を指定地肌検出領域とする地肌検出領域画素位置情報を地肌検出領域指定部４に出力し、地肌検出領域指定部４は、この地肌検出領域画素位置情報に基づいて地肌検出領域信号を発生させ、発生させた地肌検出領域信号を地肌除去部５に出力する。
【００８７】
一方、制御部２は、図１６に示すように、定型原稿サイズ判定部３からの検出原稿サイズに基づいて決定した地肌検出領域と読取領域指定部３１から指定された読取領域（指定読取領域）との重複領域が、予め設定された規定最小幅よりも小さいときには、指定読取領域を指定地肌検出領域とする地肌検出領域画素位置情報を地肌検出領域指定部４に出力し、地肌検出領域指定部４は、この地肌検出領域画素位置情報に基づいて地肌検出領域信号を発生させ、発生させた地肌検出領域信号を地肌除去部５に出力する。
【００８８】
なお、規定最小幅は、地肌検出精度や地肌除去速度に影響を与えるため、地肌検出精度や地肌除去速度が問題とならないような幅に設定する。
【００８９】
このように、本実施例の原稿読取装置３０は、地肌読取領域を指定操作する読取領域指定部３１で地肌読取領域が指定されると、制御部２が、定型原稿サイズ判定部３の判定した原稿の定型サイズに基づいて決定した地肌検出領域と当該読取領域指定部３１で指定された地肌読取領域との重複領域を地肌検出領域として決定している。
【００９０】
したがって、読取領域が指定された場合にも、間違いなく意図されている地肌除去を行うことができ、読取画像の画像品質を向上させることができる。
【実施例７】
【００９１】
図１７は、本発明の原稿読取装置の第７実施例を適用した原稿読取装置４０の要部ブロック構成図である。
【００９２】
なお、本実施例は、請求項２に対応するものである。また、本実施例は、上記第６実施例の原稿読取装置３０と同様の原稿読取装置に適用したものであり、本実施例の説明においては、上記第６実施例の原稿読取装置３０と同様の構成部分には、同位置の符号を付して、その詳細な説明を省略する。
【００９３】
図１７において、本実施例の原稿読取装置４０は、上記第６実施例の原稿読取装置３０と同様の制御部２、地肌検出領域指定部４、地肌除去部５及び読取領域指定部３１を備えているとともに、用紙サイズ指定部４１及び定型原稿サイズ判定部４２等を備えており、第１実施例から第６実施例の原稿読取装置１、３０の備えていた原稿サイズ指定部６、原稿長さセンサ７〜９及び原稿幅センサ１０、１１を備えていない。
【００９４】
用紙サイズ指定部（用紙指定手段）４１は、原稿の画像データを記録出力する転写紙（用紙）のサイズを指定するものであり、操作部等に設けられていて、オペレータが転写紙のサイズ（以下、用紙サイズという。）を指定操作すると、指定結果の用紙サイズを定型原稿サイズ判定部４２に出力する。
【００９５】
定型原稿サイズ判定部（原稿定型サイズ判定手段）４２は、用紙サイズ指定部４１で指定された用紙サイズに基づいて、例えば、用紙サイズ−定型サイズ対応表を参照して定型原稿サイズを判定し、判定した定型原稿サイズを制御部２に出力する。この用紙サイズ−定型サイズ対応表は、予め作成されて、定型原稿サイズ判定部４２の内部メモリ等に格納されている。
【００９６】
すなわち、本実施例の原稿読取装置４０は、上述のように、原稿サイズを決定する原稿サイズ指定部６、原稿長さセンサ７〜９及び原稿幅センサ１０、１１を備えていないため、用紙サイズ指定部４１で指定された用紙サイズに基づいて、定型原稿サイズ判定部４２が定型原稿サイズを判定する。
【００９７】
読取領域指定部３１は、操作部等に設けられ、オペレータが、読取領域指定部３１を操作して、原稿サイズに基づいて制御部２が決定した地肌検出領域に対して読取領域を指定する。
【００９８】
制御部２は、地肌検出領域に対して読取領域指定部３１から読取領域が指定されると、決定した地肌検出領域と指定された読取領域の重複領域を指定地肌検出領域とする地肌検出領域画素位置情報を地肌検出領域指定部４に出力し、地肌検出領域指定部４は、この地肌検出領域画素位置情報に基づいて地肌検出領域信号を発生させ、発生させた地肌検出領域信号を地肌除去部５に出力する。
【００９９】
このように、本実施例の原稿読取装置４０は、原稿読取センサにより原稿の画像を読み取るとともに、当該原稿の主走査方向の所定の地肌検出領域を原稿読取センサで読み取って、当該原稿読取センサの当該地肌検出領域の読取レベルを原稿地肌レベルとして、原稿読取センサによる原稿の読取濃度の白側を当該原稿地肌レベルに制限するに際して、用紙サイズ指定部４１で読取画像を記録する用紙のサイズが指定されると、定型原稿サイズ判定部４２が、当該指定された用紙サイズに基づいて原稿の定型サイズを判定し、制御部２が、定型原稿サイズ判定部４２の判定した原稿の定型サイズに基づいて地肌検出領域を決定している。
【０１００】
したがって、原稿長さセンサ７、８、９や原稿幅センサ１０、１１を備えていない場合にも、原稿サイズに合わせて、原稿の全域に地肌検出領域を設定することができ、原稿の絵柄による地肌除去効果の違いを少なくして、読取画像の画像品質を向上させることができる。
【実施例８】
【０１０１】
図１８は、本発明の原稿読取装置の第８実施例を適用した原稿読取装置５０の要部ブロック構成図である。
【０１０２】
なお、本実施例は、請求項３に対応するものである。また、本実施例は、上記第６実施例の原稿読取装置３０及び第７実施例の原稿読取装置４０と同様の原稿読取装置に適用したものであり、本実施例の説明においては、上記第６実施例の原稿読取装置３０及び第７実施例の原稿読取装置４０と同様の構成部分には、同位置の符号を付して、その詳細な説明を省略する。
【０１０３】
図１８において、本実施例の原稿読取装置５０は、上記第１実施例の原稿読取装置１と同様の制御部２、地肌検出領域指定部４、地肌除去部５、原稿サイズ指定部６、３つの原稿長さセンサ７〜９、２つの原稿幅センサ１０、１１、読取領域指定部３１及び用紙サイズ指定部４１を備えているとともに、定型原稿サイズ判定部５１等を備えている。
【０１０４】
定型原稿サイズ判定部（原稿定型サイズ判定手段）５１には、原稿長さセンサ７〜９、原稿幅センサ１０、１１及び用紙サイズ指定部４１が接続されており、原稿長さセンサ７、８、９からの原稿長さ信号Ｌ１、Ｌ２、Ｌ３及び原稿幅センサ１０、１１からの原稿幅信号Ｗ１、Ｗ２が入力されるとともに、用紙サイズ指定部４１からの指定の用紙サイズが入力される。定型原稿サイズ判定部５１は、原稿長さセンサ７、８、９からの原稿長さ信号Ｌ１、Ｌ２、Ｌ３及び原稿幅センサ１０、１１からの原稿幅信号Ｗ１、Ｗ２のパターンに基づ内部メモリに格納されているセンサパターン−定型サイズ対応表を参照して定型原稿サイズを判定するとともに、用紙サイズ指定部４１からの用紙サイズを参考にして、原稿サイズを判定し、判定した定型原稿サイズを制御部２に出力する。
【０１０５】
制御部２は、原稿サイズ指定部６で指定された原稿サイズまたは定型原稿サイズ判定部３で判定された原稿サイズに基づいて、予め内部メモリ等に格納されている地肌検出領域を決定し、また、地肌検出領域に対して読取領域指定部３１から読取領域が指定されると、決定した地肌検出領域と指定された読取領域の重複領域を指定地肌検出領域とする地肌検出領域画素位置情報を地肌検出領域指定部４に出力し、地肌検出領域指定部４は、この地肌検出領域画素位置情報に基づいて地肌検出領域信号を発生させ、発生させた地肌検出領域信号を地肌除去部５に出力する。
【０１０６】
このように、本実施例の原稿読取装置５０は、原稿読取センサにより原稿の画像を読み取るとともに、当該原稿の主走査方向の所定の地肌検出領域を原稿読取センサで読み取って、当該原稿読取センサの当該地肌検出領域の読取レベルを原稿地肌レベルとして、原稿読取センサによる原稿の読取濃度の白側を当該原稿地肌レベルに制限するに際して、原稿長さセンサ７、８、９及び原稿幅センサ１０、１１で、各種定型サイズの原稿の定型サイズを検出し、また、原稿サイズ指定部６で、原稿サイズを指定され、あるいは、用紙サイズ指定部４１で読取画像を記録する用紙のサイズが指定されると、定型原稿サイズ判定部３が、原稿長さセンサ７、８、９及び原稿幅センサ１０、１１の検出結果に基づいて原稿の定型サイズを判定し、あるいは、用紙サイズ指定部４１で指定された用紙サイズに基づいて原稿の定型サイズを判定し、制御部２が、定型原稿サイズ判定部５１の判定した原稿の定型サイズまたは原稿サイズ指定部６で指定された原稿サイズに基づいて地肌検出領域を決定している。
【０１０７】
したがって、検出した原稿サイズに合わせて、あるいは、原稿長さセンサ７、８、９及び原稿幅センサ１０、１１や原稿サイズ指定部６を備えていない場合にも、原稿サイズに合わせて、原稿の全域に地肌検出領域を設定することができ、原稿の絵柄による地肌除去効果の違いを少なくして、読取画像の画像品質を向上させることができる。
【０１０８】
以上、本発明者によってなされた発明を好適な実施例に基づき具体的に説明したが、本発明は上記のものに限定されるものではなく、その要旨を逸脱しない範囲で種々変更可能であることはいうまでもない。
【産業上の利用可能性】
【０１０９】
各種原稿サイズに応じた地肌検出領域を決定して地肌を検出して、原稿に対して適切な地肌除去を行って読取画像の画像品質を向上させる原稿読取装置に適用することができる。
【図面の簡単な説明】
【０１１０】
【図１】本発明の原稿読取装置の第１実施例を適用した原稿読取装置の要部ブロック構成図。
【図２】図１の原稿長さセンサ及び原稿幅センサの検出パターンと定型サイズとの関係を示すセンサパターン−定型サイズ対応表の一例を示す図。
【図３】第１実施例の原稿読取装置の原稿サイズと地肌検出領域との関係を示す地肌検出領域テーブルの一例を示す図。
【図４】各種定型サイズとその寸法を示す図。
【図５】本発明の原稿読取装置の第２実施例を適用した原稿読取装置で用いる原稿長さセンサ及び原稿幅センサの検出パターンと定型サイズとの関係を示すセンサパターン−定型サイズ対応表の一例を示す図。
【図６】第２実施例の原稿読取装置の原稿サイズと地肌検出領域との関係を示す地肌検出領域テーブルの一例を示す図。
【図７】本発明の原稿読取装置の第３実施例を適用した原稿読取装置で用いる原稿長さセンサ及び原稿幅センサの検出パターンと定型サイズとの関係を示すセンサパターン−定型サイズ対応表の一例を示す図。
【図８】第３実施例の原稿読取装置の原稿サイズと地肌検出領域との関係を示す地肌検出領域テーブルの一例を示す図。
【図９】本発明の原稿読取装置の第４実施例を適用した原稿読取装置で用いる原稿長さセンサ及び原稿幅センサの検出パターンと定型サイズとの関係を示すセンサパターン−定型サイズ対応表の一例を示す図。
【図１０】第４実施例の原稿読取装置の原稿サイズと地肌検出領域との関係を示す地肌検出領域テーブルの一例を示す図。
【図１１】本発明の原稿読取装置の第５実施例を適用した原稿読取装置で読み取られる原稿の平面図。
【図１２】第５実施例の原稿読取装置の原稿サイズと地肌検出領域との関係を示す地肌検出領域テーブルの一例を示す図。
【図１３】本発明の原稿読取装置の第６実施例を適用した原稿読取装置の要部ブロック構成図。
【図１４】図１３の原稿読取装置による検出原稿サイズに対する地肌検出領域と指定読取領域及び地肌検出領域の関係を示す図。
【図１５】図１３の原稿読取装置による地肌検出領域と指定読取領域との重複領域が規定最小幅よりも大きい場合の地肌検出領域設定の説明図。
【図１６】図１３の原稿読取装置による地肌検出領域と指定読取領域との重複領域が規定最小幅よりも小さい場合の地肌検出領域設定の説明図。
【図１７】本発明の原稿読取装置の第７実施例を適用した原稿読取装置の要部ブロック構成図。
【図１８】本発明の原稿読取装置の第８実施例を適用した原稿読取装置の要部ブロック構成図。
【図１９】従来のスキャナの外観斜視図。
【図２０】図１９のスキャナのスキャナ本体の上方斜視図。
【図２１】図１９のスキャナのスキャナ本体の平面図。
【図２２】図１９のスキャナのＡＤＦの原稿センサを明示する要部平面図。
【図２３】図１９のスキャナによる圧板読取時の最大読取幅、原稿幅及び地肌検出領域の関係を示す図。
【図２４】図１９のスキャナによるＡＤＦ読取時の最大読取幅、原稿幅及び地肌検出領域の関係を示す図。
【符号の説明】
【０１１１】
１  原稿読取装置
２  制御部
３  定型原稿サイズ判定部
４  地肌検出領域指定部
５  地肌除去部
６  原稿サイズ指定部
７〜９  原稿長さセンサ
１０、１１  原稿幅センサ
２０  原稿
２１  パンチ穴
３０  原稿読取装置
３１  読取領域指定部
４０  原稿読取装置
４１  用紙サイズ指定部
４２  定型原稿サイズ判定部
５０  原稿読取装置
５１  定型原稿サイズ判定部
【図１】
2005136551.tif 000003
【図２】
2005136551.tif 000004
【図３】
2005136551.tif 000005
【図４】
2005136551.tif 000006
【図５】
2005136551.tif 000007
【図６】
2005136551.tif 000008
【図７】
2005136551.tif 000009
【図８】
2005136551.tif 000010
【図９】
2005136551.tif 000011
【図１０】
2005136551.tif 000012
【図１１】
2005136551.tif 000013
【図１２】
2005136551.tif 000014
【図１３】
2005136551.tif 000015
【図１４】
2005136551.tif 000016
【図１５】
2005136551.tif 000017
【図１６】
2005136551.tif 000018
【図１７】
2005136551.tif 000019
【図１８】
2005136551.tif 000020
【図１９】
2005136551.tif 000021
【図２０】
2005136551.tif 000022
【図２１】
2005136551.tif 000023
【図２２】
2005136551.tif 000024
【図２３】
2005136551.tif 000025
【図２４】
2005136551.tif 000026